(57)【要約】【課題】  選択された運転コースの実行で使用される使用水量を使用者に認識させることができる食器洗浄機を提供する。【解決手段】  操作パネル２７における操作スイッチ部２８のコース設定スイッチ２８ｄが操作されてコース表示部２９ａにおける複数の運転コースの一つが選択されると、制御装置は、選択された運転コースの実行に当たって使用される水量をＲＯＭから読出してきて表示器２９ｄに数値表示させる。【選択図】  図１
2005204899.tif 000002
【特許請求の範囲】
【請求項１】
食器を収容して洗浄するための洗浄槽と、
この洗浄槽に給水を行うことで当該洗浄槽の底部に水を貯留させる給水手段と、
前記貯留された水を吸引して前記食器に噴射するための洗浄ポンプと、
複数の運転コースのうちの任意の運転コースを選択するためのコース選択手段と、
表示器と、
前記給水手段及び洗浄ポンプ等を制御して前記コース選択手段により選択された運転コースを実行させるための制御手段とを具備し、
前記制御手段は、コース選択手段により運転コースが選択されたときには、その運転コースの実行で使用される使用水量を前記表示器に表示させるように構成されていることを特徴とする食器洗浄機。
【請求項２】
制御手段は、実行された運転コースの使用水量を累計して記憶手段に記憶させるとともに、その記憶内容を表示器に表示可能に構成されていることを特徴とする請求項１記載の食器洗浄機。
【請求項３】
制御手段は、洗浄ポンプを動作させたときにその洗浄ポンプが空気を巻き込んだエアがみ状態にあるか否かを判定し、エアがみ状態と判定したときには選択された運転コースの使用水量を修正して表示器に表示させるように構成されていることを特徴とする請求項１又は２記載の食器洗浄機。
【発明の詳細な説明】
【技術分野】
【０００１】
本発明は、洗浄槽内に貯留された水を洗浄ポンプにより循環させながら食器を洗浄する食器洗浄機に関する。
【背景技術】
【０００２】
食器洗浄機は、食器を洗浄槽に収容して必要量の洗剤を投入し、洗浄槽に水道水を供給して底部に溜めると、この溜めた水を洗浄ポンプにより吸引して洗浄槽の内部に収容した食器に噴射して洗浄槽に戻すように循環させながら食器を洗浄するものである。この場合、水は、一般に、洗剤を使用した洗い行程と複数回のすすぎ行程において使用される（例えば特許文献１）。
【特許文献１】特開２００３−１３５３６１号公報
【発明の開示】
【発明が解決しようとする課題】
【０００３】
このような食器洗浄機は、手洗いに比較すると使用水量が少なくなることがメリットの一つとされているが、従来のものでは、使用者は節水が図られたという結果の具体的な使用水量を認識することができない問題がある。
本発明は上記事情に鑑みてなされたものであり、その目的は、選択された運転コースの実行で使用される使用水量を使用者に認識させることができる食器洗浄機を提供するにある。
【課題を解決するための手段】
【０００４】
本発明の食器洗浄機は、食器を収容して洗浄するための洗浄槽と、この洗浄槽に給水を行うことで当該洗浄槽の底部に水を貯留させる給水手段と、前記貯留された水を吸引して前記食器に噴射するための洗浄ポンプと、複数の運転コースのうちの任意の運転コースを選択するためのコース選択手段と、表示器と、前記給水手段及び洗浄ポンプ等を制御して前記コース選択手段により選択された運転コースを実行させるための制御手段とを具備し、
前記制御手段は、コース選択手段により運転コースが選択されたときには、その運転コースの実行で使用される使用水量を前記表示器に表示させるように構成されているところに特徴を有する。
【発明の効果】
【０００５】
本発明の食器洗浄機によれば、使用者は、表示器を見ることにより選択した運転コースで使用される水量を数値として具体的に認識することができる。
【発明を実施するための最良の形態】
【０００６】
以下、本発明の一実施例について図面を参照して説明する。
図２は食器洗浄機全体の縦断側面図である。本体１は、外箱２により外殻が形成されており、この外箱２内に洗浄槽３が設けられているとともに、外箱２内底部に洗浄装置４が設けられている。前記洗浄槽３前面の開放した開口部５は、下扉６及び上扉７により開閉可能とされている。
【０００７】
下扉６には、前面にハンドル８及び図示しない扉ロック機構解除用の押し釦９を設けている。そして、図２の閉鎖状態から、押し釦９を押して扉ロック機構のロックを解除した後、ハンドル８をもって下扉６を手前に回動すると、上扉７も図示しない連動機構により連動して回動し、上下に両開きするようになっている。
洗浄槽３内には、底部にヒータ例えばシーズヒータ１０が配設されるとともに、このシーズヒータ１０の上面側を覆うように径大な多孔板からなるヒータカバー１１が設けられている。このシーズヒータ１０は、洗い及びすすぎ行程では洗浄槽３内に供給された水を加熱温水化し、また乾燥行程では後述する送風機１２からの送風を温風化する。更に、上記ヒータカバー１１より上方に位置して、洗浄装置４の一部を構成する中空の噴射アーム１３が配置され、これは洗浄槽３底部に固定された筒状のアーム支え１４と連通し且つこれに回転可能に軸支される。尚、噴射アーム１３の上面には複数の噴射孔１３ａを備えている。
【０００８】
洗浄槽３の最低部位には口部３ａが形成されており、この口部３ａに該洗浄槽３の一部を構成する集水用の貯水タンク３ｂが水密に取付けられている。口部３ａ上方には径小な多孔板からなるフィルタ１５が配設され、フィルタ１５の下方部（貯水タンク３ｂ上部）には、更に径小な多孔板からなるフィルタ１６が配設されている。この貯水タンク３ｂの底部には洗浄ポンプ１７及び排水ポンプ１８が配管１７ａ及び１８ａを介して連通している。
【０００９】
食器かご１９は、上記噴射アーム１３の上方に位置して洗浄槽３の前面開口部５から出し入れ可能に配設されており、洗浄槽３の両側壁に突設した段部２０上に滑動可能に支持されている。そして、洗浄装置４は、噴射アーム１３と、洗浄槽３の外底部に配設された洗浄ポンプ１７と、ポンプモータ２１とから構成されている。具体的には、上記洗浄ポンプ１７は、吸込み側の一端が前記貯水タンク３ｂに配管１７ａを介して連通接続され、吐出側の他端が前記アーム支え１４に連結され、以て噴射アーム１３に連通している。一方、上記排水ポンプ１８は、同じく吸込み側の一端が貯水タンク３ｂに配管１８ａを介して連通接続され、吐出側の他端が機外に導出された槽排水管路２２に接続されている。
【００１０】
ポンプモータ２１は、例えば正回転時には洗浄ポンプ１７のみが有効に機能し、貯水タンク３ｂ内の洗浄水が吸引されて該洗浄ポンプ１７から圧送される。すると、洗浄水は、筒状のアーム支え１４を経て噴射アーム１３の噴射孔１３ａから噴射され、該噴射アーム１３はその噴射反動を利用して回転するので、食器かご１９内の食器類に対してむらのない噴射洗浄が行われる。噴射された洗浄水は、洗浄槽３の貯水タンク３ｂに戻って循環するようになる。従って、洗浄槽３及びその一部である貯水タンク３ｂ、配管１７ａ、洗浄ポンプ２１、噴射アーム１３は、洗浄水の循環経路を構成する。反対に逆回転時には、排水ポンプ１８のみが有効に機能して洗浄後の洗浄水を槽排水管路２２から機外に排水するように構成されている。
【００１１】
前記送風機１２は、洗浄行程及びすすぎ行程後に食器類を乾燥するために外気を吸入して洗浄槽３内に送風するもので、これに設けられた送風管２３は洗浄槽３内下部の前記ヒータカバー１１で覆われたシーズヒータ１０近傍に連通接続されている。従って、送風管２３から供給された空気は洗浄槽３内のシーズヒータ１０で加熱温風化され、上方の食器類に向けて送風されることで乾燥行程が実行される。図２に示す洗浄槽３の背面側には該洗浄槽３内に洗浄水を供給するための給水配管２４が設けられている。この給水配管２４には給水手段たる給水弁２５が設けられている。
【００１２】
図２に示すように、外箱２の前面側下部にはカバー２ａが設けられており、このカバー２ａ内には、制御手段たる制御装置２６が配設されている。この制御装置２６は、記憶手段たるＲＯＭ２６ａ及びＲＡＭ２６ｂを有するマイクロコンピュータを主体とした回路構成からなり、予めＲＯＭ２６ａに記憶された制御プログラムをＲＡＭ２６ｂに読出すことに基づき食器洗浄機の運転全般を制御するもので、その制御内容については後述する。そして、カバー２ａの前面には、操作パネル２７が付設されている。
【００１３】
操作パネル２７には、図１に示すように、操作スイッチ部２８と表示装置部２９とが設けられている。操作スイッチ部２８は、電源入り（オン）スイッチ２８ａ、電源切り（オフ）スイッチ２８ｂ、スタートスイッチ２８ｃ、コース選択手段たるコース設定スイッチ２８ｄ、乾燥時間設定スイッチ２８ｅ及び累計スイッチ２８ｆから構成されている。又、表示装置部２９は、運転コース表示部２９ａ、行程表示部２９ｂ、乾燥時間表示部２９ｃ及び数値表示可能な表示器２９ｄから構成されている。
【００１４】
更に、図１に示すように、運転コース表示部２９ａには、「標準」、「スピーディ」、「洗剤なし」、「がんこ汚れ」、「調理器具」、「おやすみ」及び「予約」の文字が付された７つの表示部が設けられている。そして、運転コース設定スイッチ２８ｄが押圧操作されると、その押圧操作される毎に或いは連続押圧操作中は、各表示部は上記した列挙の順序で点灯、消灯を繰り返すようになっている。図では、点灯している表示部を斜線を付して示しており、この点灯している表示部の運転コースが選択されていることになる。従って、図１（ａ）では、「標準」コースが選択され、図１（ｂ）では、「洗剤なし」コースが選択されていることを示している。
【００１５】
図１に示すように、行程表示部２９ｂには、「洗い」、「すすぎ」、「乾燥」及び「ドライキープ」の文字が付された４つの表示部が設けられている。そして、制御装置２６により洗浄運転が実行されると、その実行されている行程名の表示部が点灯するようになっている。乾燥時間表示部２９ｃには、「２０分」、「４０分」及び「６０分」の文字が付された３つの表示部が設けられている。そして、乾燥時間設定スイッチ２８ｅが押圧操作されると、その押圧操作される毎に或いは連続押圧操作中は、各表示部は上記した列挙の順序で点灯、消灯を繰り返すようになっており、点灯している表示部の乾燥時間が選択されることになる。
【００１６】
尚、乾燥時間設定スイッチ２８ｅによる乾燥時間の選択操作が、コース設定スイッチ２８ｆにより運転コースが選択設定されているときに行なわれたときには、その選択された運転コースの乾燥行程における乾燥時間が上記乾燥時間設定スイッチ２８ｅにより選択された乾燥時間に変更され、コース設定スイッチ２８ｆにより運転コースが選択設定されていないときに行なわれたときには、スタートスイッチ２８ｃを押圧操作することにより、選択された乾燥時間だけ乾燥行程（乾燥運転）のみが実行されるようになっている。
【００１７】
図３は制御装置２６を中心とする電気的構成を示す機能ブロック図である。制御装置２６の入力ポートには、操作パネル２７の操作スイッチ部２８からの信号が与えられているとともに、下扉６の開閉に応動する扉スイッチ３０、水位センサ３１ａ、３１ｂ及び３１ｃの検知信号が入力され、更に、回転センサ３２の検知信号が入力されている。
この場合、水位センサ３１ａ、３１ｂ及び３１ｃは、フロートとマイクロスイッチとを組み合わせて構成されたものであり、水位センサ３１ａは、洗浄槽３内の水位が最低水位（例えば水量１．７Ｌ（リットル）に相当）になるとオンし、水位センサ３１は、洗浄槽３内の水位が低水位（例ば水量３．２Ｌに相当）になるとオンし、水位センサ３１ｃは、洗浄槽３内の水位が高水位（例えば水量３．９Ｌに相当）になるとオンするようになっている。又、回転センサ３２は、ブラシレスモータからなるポンプモータ２１の回転数（ｒｐｍ）を検出するようになっている。
【００１８】
更に、制御装置２６は、スイッチング素子としてＦＥＴを用いたインバータ回路３３を介してポンプモータ２１を駆動することにより、該ポンプモータ２１の回転速度や回転方向を駆動制御し、以て、洗浄ポンプ１７及び排水ポンプ１８を運転制御し、更に、駆動回路３４を介して、送風機１２、シーズヒータ１０、操作パネル２７の表示装置部２９及び給水弁２５等を制御するようになっている。
【００１９】
次に、本実施例の作用について図４乃至図８をも参照して説明する。図４及び図５は、制御装置２６によって行われる本発明の要旨に係る部分の処理内容を示すフローチャートである。制御装置２６は、先ず、判断ステップＳ１となり、使用者によってコース設定スイッチ２８ｄの入力操作が行なわれて運転コースの選択が行なわれているか否かを判断し、「ＹＥＳ」（選択操作あり）のときには判断ステップＳ２に移行する。尚、制御装置２６が判断ステップＳ１で「ＮＯ」と判断したときについては後述する。制御装置２６は、判断ステップＳ２ではスタートスイッチ２８ｃがオンされた否かを判断し、「ＮＯ」のときには判断ステップＳ１に戻り、「ＹＥＳ」のときには処理ステップＳ３に移行する。
【００２０】
制御装置２６のＲＯＭ２６ａには、図８に示すようなテーブルが記憶されている。このテーブルには、３段階の基本水位たる低基本水位３．２Ｌ、中基本水位３．４Ｌ及び高基本水位３．９Ｌと、これらに夫々対応する運転コースたる「標準」、「スピーディ」、  「洗剤なし」、「調理器具」、「おやすみ」、「予約」及び「がんこ汚れ」のコースと、これらの各運転コースにおける洗浄水使用行程たる「洗い」、「すすぎ１」、「すすぎ２」、「すすぎ３」及び「仕上げすすぎ」の行程毎の使用水量並びに各運転コースの合計の「使用水量」が示されている。例えば、基本水位が低基本水位（３．２Ｌ）の場合であって、「標準」コースが選択されたときには、「使用水量」は９．８Ｌであり、「洗剤なし」コースが選択されたときには、「使用水量」は１２．８Ｌである。
【００２１】
しかして、制御装置２６は、処理ステップＳ３では、選択された運転コースのプログラムをＲＯＭ２６ａからＲＡＭ２６ｂに読出すとともに、その選択された運転コースの「洗い」、「すすぎ１」、「すすぎ２」、「すすぎ３」及び「仕上げすすぎ」の行程毎の使用水量並びに合計の「使用水量」をＲＯＭ２６ａのテーブル（図８）からＲＡＭ２６ｂに読出す。そして、制御装置２６は、次の処理ステップＳ４では、表示器２９ｃに選択された運転コースにおける低基本水位３．２Ｌ時の「使用水量」を数値表示させる。例えば、  「標準」コースが選択されたときには、図１（ａ）に示すように、表示器２９ｃには「９．８」Ｌと表示され、「洗剤なし」コースが選択されたときには、図１（ｂ）に示すように、表示器２９ｃには「１２．８」Ｌと表示される。
【００２２】
制御装置２６は、更に処理ステップＳ５に移行し、ここでは、給水弁２５を開放して洗浄槽３内に給水を開始するととともに、給水時間の計測を開始し、水位センサ３１ｂによって低水位（３．２Ｌ）に達したことを検知すると、給水弁２５を閉塞して給水を停止するととともに、給水時間の計測を終了する。そして、制御装置２６は、計測した給水時間に基づいて給水速度を算出する。即ち、給水量３．２Ｌに要した時間がＴ（ｓｅｃ）であれば、給水速度Ｖは、Ｖ＝３．２／Ｔ（Ｌ／ｓｅｃ）で求められる。
【００２３】
制御装置２６は、次に「エアがみ検知」の処理ステップ（サブルーチン）Ｓ６に移行する。図６は、制御装置２６によるエア咬み検知処理（処理ステップＳ６）の内容を示すフローチャートである。即ち、先ず、処理ステップＲ１でフラグＦを「０」、カウンタのカウント値Ｎを「０」にし、タイマをリセットする。処理ステップＲ２では、インバータ回路３３によるポンプモータ２１の正回転（洗浄ポンプ１７駆動）の設定回転数を例えば２５００（ｒｐｍ）に設定し、インバータ回路３３のＦＥＴのオンオフデューティを設定された最大デューティから順次小になるように可変させて洗浄ポンプ１７を始動させる。判断ステップＲ３では、回転センサ３２の信号によりポンプモータ２１の回転数が設定回転数になったか否かを判断し、「ＮＯ」のときには処理ステップＳＲ２に戻り、「ＹＥＳ」のときには判断ステップＲ４に移行する。
【００２４】
ところで、洗浄ポンプ１７は、或る噴射能力（回転数）に対して適切な水位状態（負荷状態）においては、ポンプモータ２１に対するインバータ回路３３のＦＥＴのオンオフデューティは予想される適当な大きさになるが、不適当な水位状態のときには、空気を巻込ん空転し軽負荷となってデューティが小になる「エアがみ」状態になる。この実施例においては、洗浄ポンプ１７を駆動するポンプモータ２１の回転数が２５００（ｒｐｍ）になったときのＦＥＴのデューティが、通常時には、図７（ａ）に示すように、予想される適当な大きさになるが、エアがみ時には、図７（ｂ）に示すように、通常時よりも極めて小になることに着目して、通常時より若干小なる基準デューティＤＴｒを設定して、エアがみ検出の判断基準とするようになっている。
【００２５】
即ち、制御装置２６は、判断ステップＲ４では、ポンプモータ２１の回転数が２５００（ｒｐｍ）になったときの検出デューティＤＴｓが基準デューティＤＴｒより小か否かを判断するもので、「ＮＯ」（同等若しくは大）のときには「リターン」する。判断ステップＲ４で「ＹＥＳ」（小）のときには、判断ステップＲ５でフラグＦが「０」か否かを判断し、ここでは「ＹＥＳ」と判断して次の処理ステップＲ６になる。処理ステップＲ６では、フラグＦを「１」にした上でタイマをスタートさせる。更に、次の処理ステップＲ７では、カウンタのカウント値Ｎを「１」とし、判断ステップＲ８では、カウント値ＮがＸ（例えば「５」）か否かを判断し、ここでは「ＮＯ」と判断して、判断ステップＲ９に移行し、ここで前記タイマが設定された単位時間の計時動作を終了したか否かを判断し、  「ＮＯ」のときには処理ステップＲ２に戻る。
【００２６】
以下、制御装置２６は、判断ステップＲ４で「ＹＥＳ」と判断する毎にカウンタのカウント値Ｎに「１」ずつ加算するようになり、そして、タイマが単位時間の計時動作を終了する前にカウント値ＮがＸ（＝５）となったときには、処理ステップＲ１０となって、エアがみ検知状態になる。即ち、制御装置２６は、単位時間内にエアがみ検知状況（処理ステップＲ４で「ＹＥＳ」）がＸ（＝５）回あったときにエアがみ検知状態をするものであり、一時的なエアがみ検知状況をエアがみ検知状態と誤検知することを防止するものである。従って、判断ステップＲ８で「ＹＥＳ」と判断する前に判断ステップＲ９で「ＹＥＳ」と判断したときは「リターン」し、エアがみ検知状態とはならない。
【００２７】
さて、制御装置２６は、上述したように「リターン」すると、図５に示す判断ステップＳ７に移行し、処理ステップＳ６でエアがみを検知したか否かを判断する。制御装置２６は、この判断ステップＳ７で「ＮＯ」（エアがみなし）と判断したときには、処理ステップＳ８に移行して、基本水位を低基本水位（３．２Ｌ）と決定し、次の処理ステップＳ９で表示器２９ｄにより表示した使用水量をＲＡＭ２６ｂに記憶させるとともに、過去の使用水量に加算して累計使用水量を演算しＲＡＭ２６ｂに記憶させ、そして、処理ステップＳ１０で表示器２９ｄによる使用水量の表示を停止させる。その後は、制御装置２６は、「洗浄・乾燥運転」の処理ステップ（サブルーチン）Ｓ１１に移行し、選択された運転コースの洗浄・乾燥運転を実行する。
【００２８】
尚、上記場合には、基本水位として低基本水位（３．２Ｌ）が決定されているので、例えば、図１（ａ）で示すように、「標準」コースが選択されているときには、洗浄運転は、「洗い」３．２Ｌ、「すすぎ１」１．７Ｌ、「すすぎ２」１．７Ｌ及び「仕上げすすぎ」３．２Ｌの使用水量（合計の「使用水量」９．８Ｌ）で実行されるようになり、又、図１（ｂ）で示すように、「洗剤なし」コースが選択されているときには、洗浄運転は、「洗い」３．２Ｌ、「すすぎ１」３．２Ｌ、「すすぎ２」３．２Ｌ及び「仕上げすすぎ」３．２Ｌの使用水量（合計の「使用水量」１２．８Ｌ）で実行されるようになる。
【００２９】
一方、制御装置２６は、判断ステップＳ７で「ＹＥＳ」（エアがみあり）と判断したときには、処理ステップＳ１２に移行し、給水弁２５を開いて例えば０．２Ｌの追加給水を行なう。この場合の給水量０．２Ｌは、ステップＳ５で算出した給水速度Ｖから０，２Ｌを給水するのに要する時間を求め、その時間だけ給水弁２５を開いて設定する。例えば、この場合の給水時間Ｔ１は、Ｔ１＝０．２／Ｖ（ｓｅｃ）で得られる。
【００３０】
即ち、実際の給水に要する時間は、使用環境下における水道水の給水圧や、給水用ホースの劣化状態、また、例えば洗濯機などの他の機器が同時に水道水を使用しているかどうかによっても変化する。そして、追加給水は一般に少量であるため、その水量を所定の給水時間だけで管理しようとすると実際の給水量に誤差が含まれる可能性が高い。そこで、本実施例では、追加給水を行う直前の行程で行われた給水時の給水速度を検出し、その給水速度に基づいて追加給水量を正確に管理するようにしている。
【００３１】
制御装置２６は、次の処理ステップＳ１３に移行し、前記処理ステップＳ６と同様のエアがみ検知を行ない、判断ステップＳ１４に移行する。制御装置２６は、この判断ステップＳ１４で「ＮＯ」（エアがみなし）と判断したときには、処理ステップＳ１５に移行して、基本水位を中基本水位（３．４＝３．２＋０．２Ｌ）と決定し、処理ステップＳ１６に移行する。制御装置２６は、この処理ステップＳ１６では、図８のテーブルから選択された運転コースの中基本水位（３．４Ｌ）に対応する「使用水量」を読出し、処理ステップＳ１７で層使用水量を表示器２９ｄに表示させる。
【００３２】
この場合、例えば、図１（ａ）に示すように、運転コースとして「標準」コースが選択されているときには、表示器２９ｄには「９．８」Ｌに代わって「１０．２」Ｌが表示され、又、図１（ｂ）に示すように、運転コースとして「洗剤なし」コースが選択されているときには、表示器２９ｄには「１２．８」Ｌに代わって１「１３．６」Ｌが表示されるようになる。
【００３３】
その後、制御装置２６は、処理ステップＳ９及びＳ１０を経て処理ステップＳ１１に移行して選択された運転コースの洗浄・乾燥運転を実行する。但し、この場合には、基本水位として中基本水位（３．４Ｌ）が決定されているので、例えば、図１（ａ）で示すように、「標準」コースが選択されているときには、洗浄運転は、「洗い」３．４Ｌ、「すすぎ１」１．７Ｌ、「すすぎ２」１．７Ｌ及び「仕上げすすぎ」３．４Ｌの使用水量（合計の「使用水量」１０．２Ｌ）で実行されるようになり、又、図１（ｂ）で示すように、  「洗剤なし」コースが選択されているときには、洗浄運転は、「洗い」３．４Ｌ、「すすぎ１」３．４Ｌ、「すすぎ２」３．４Ｌ及び「仕上げすすぎ」３．４Ｌの使用水量（合計の「使用水量」１３．６Ｌ）で実行されるようになる。
【００３４】
そして、制御装置２６は、図５に示す判断ステップＳ１４で「ＹＥＳ」（エアがみあり）と判断したときには、処理ステップＳ１８に移行し、給水弁２５を開いて例えば０．５Ｌの追加給水を行なう。この場合の給水量０．５Ｌは、前述したように、ステップＳ５で算出した給水速度Ｖから０，２Ｌを給水するのに要する時間を求め、その時間だけ給水弁２５を開いて設定する。制御装置１６は、次の処理ステップＳ１９で基本水位を高基本水位（３．９＝３．４＋０．５Ｌ）と決定し、処理ステップＳ２０に移行する。制御装置２６は、この処理ステップＳ２０では、図８のテーブルから選択された運転コースの高基本水位（３．９Ｌ）に対応する「使用水量」を読出し、処理ステップＳ２１で層使用水量を表示器２９ｄに表示させる。
【００３５】
その後、制御装置２６は、処理ステップＳ９及び１０を経て処理ステップＳ１１に移行し、ここで選択された運転コースの洗浄・乾燥運転を実行するものであるが、この場合の動作は、基本水位が低基本水位（３．２Ｌ）或いは中基本水位（３．４Ｌ）の場合と同様であり、詳細な説明は省略する。
さて、制御装置２６は、図４に示す判断ステップＳ１で「ＮＯ」と判断したときには、次の判断ステップＳ２２に移行する。制御装置２６は、この判断ステップＳ２２では、累計スイッチ２８ｆがオンされたか否かを判断するもので、「ＮＯ」のときには、判断ステップＳ１に戻るが、「ＹＥＳ」のときには、次の処理ステップＳ２３でＲＡＭ２６ｂから累計使用水量を読出して表示器２９ｄに表示させる。制御装置２６は、次の処理ステップＳ２４に移行して、設定時間（例えば３０ｓｅｃ）の計時動作を行なうタイマをスタートさせ、判断ステップＳ２５でその設定時間が経過したか否かを判断し、ここで「ＮＯ」と判断したときには、判断ステップＳ２６に移行する。
【００３６】
制御装置２６は、この判断ステップＳ２６では、ＲＡＭ２６ｂに記憶された累計使用水量をクリアすべく例えば累計スイッチ２８ｆが一定時間以上継続してオン操作されているか否かを判断するもので、「ＮＯ」のときには、判断ステップＳ２５に戻り、「ＹＥＳ」のときには、処理ステップＳ２７に移行してＲＡＭ２６ｂの累計使用水量の記憶内容をクリアする。そして、性補装置２６は、処理ステップＳ２８で表示器２９ｄの表示を停止させた後、判断ステップＳ１に戻る。尚、制御装置２６は、設定時間内に累計スイッチ２８ｆの操作がなかったときには、判断ステップＳ２５で「ＹＥＳ」と判断した処理ステップＳ２８に移行する。
【００３７】
尚、図４及び図５のフローチャートには示していないが、例えば、処理ステップＳ１１の終了後に累計スイッチ２８ｆを複数回続けて操作すると、ＲＡＭ２６ｂに記憶された今回の使用水量が表示器２９ｄに表示され、使用者が確認を行なうことができるようになっている。
【００３８】
このように本実施例によれば、制御装置２６は、複数の運転コースの一つを選択して実行するときに、その選択された運転コースに実行に使用される水量を表示器２９ｄに数値表示させるようにしたので、使用者は、表示器２９ｄを見ることにより選択した運転コースで使用される水量を数値として具体的に認識することができ，過去の手洗いによる水道使用量を参照すれば、節水を実感することができる。
【００３９】
又、制御装置２６は、洗浄・乾燥運転を実行する毎に使用水量の累計をＲＡＭ２６ｂに記憶させて、これを読出して表示器２９ｄに表示させるようにしたので、食器洗浄機による一定期間の水道使用量を知ることができ、節水に加えて、より効率的な食器洗浄を考える上でも便利である。
そして、制御装置２６は、洗浄ポンプ１７のエアがみを検知したときには、当初の基本水位を変更して洗浄運転に使用する水量をエアがみを解消する方向に修正するようにしたので、節水を図りつつ、エアがみのない最適な洗浄運転を行なわせることができる。
【００４０】
尚、本発明は上記し図面に示す実施例に限定されるものではなく、次のような変形、拡張が可能である。
洗浄ポンプ１７のエアがみ検知は、インバータ回路３３のＦＥＴのオンオフデューティを測定する他、インバータ回路３３の入力電流又は出力電流を測定し、或いは、ポンプモータ２１の電流、電圧−電流位相差又は回転数を測定することにより行なうようにしてもよい。
【００４１】
数値表示する表示器２９ｄの代わりにレベル表示する表示器を設けるようにしてもよい。
不揮発性メモリを設けて、これに使用水量及び累積使用水量を記憶させるようにしてもよい。
【図面の簡単な説明】
【００４２】
【図１】本発明の一実施例を示す操作パネルの正面図
【図２】全体の縦断側面図
【図３】電気的構成を示すブロック線図
【図４】メインルーチンのフローチャート（その１）
【図５】メインルーチンのフローチャート（その２）
【図６】エアがみ検知処理のフローチャート
【図７】エアがみ検知処理説明用の波形図
【図８】基本水位に対する複数の運転コース毎の使用水量を示すテーブルの内容を示す図
【符号の説明】
【００４３】
図面中、１は本体、３は洗浄槽、１７は洗浄ポンプ、２１はポンプモータ、２５は給水弁（給水手段）、２６は制御装置（制御手段）、２７は操作パネル、２８は操作スイッチ部、２８ｄはコース設定スイッチ（コース選択手段）、２９は表示装置部、２９ｄは表示器、３１ａ乃至３１ｃは水位センサ、３２は回転センサ、３３はインバータ回路を示す。
【図１】
2005204899.tif 000003
【図２】
2005204899.tif 000004
【図３】
2005204899.tif 000005
【図４】
2005204899.tif 000006
【図５】
2005204899.tif 000007
【図６】
2005204899.tif 000008
【図７】
2005204899.tif 000009
【図８】
2005204899.tif 000010